【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
飛行時間型質量分析器でイオンを反射させる方法であって、
複数の電極を有するイオンミラー（１０ａ）を設けるステップであって、前記イオンミラー（１０ａ）が、前記イオンミラーのイオン正味移動方向に概して位置する第１の副軸（Ｙ）（３００）と第２の主軸（Ｘ）（４００）とを有する断面を、前記イオンミラー（１０ａ）が、前記主軸（Ｘ）（４００）が、前記副軸（Ｙ）（３００）より長い距離にわたって延在するように有し、前記主軸（Ｘ）（４００）と前記副軸（Ｙ）（３００）とが、それぞれ、前記イオンミラー（１０ａ）内のイオンの飛行時間分離方向に概して位置する前記イオンミラー（１０ａ）の長手軸（Ｚ）（２００）に垂直である、ステップと、
イオンを前記イオンミラー（１０ａ）に向かって導くステップと、
電界を生成するように電圧を前記電極に印加するステップであって、これが、
（ａ）イオンの平均軌道を、前記ミラー（１０ａ）の長手軸（Ｚ）及び主軸（Ｘ）を含む前記イオンミラー（１０ａ）の前記主軸（Ｘ）と前記長手軸（Ｚ）からなる対称平面に交差させ、
（ｂ）前記イオンを前記イオンミラー（１０ａ）で反射させ、
（ｃ）前記イオンを、前記イオンミラー（１０ａ）を通過するイオンの平均軌道が、前記イオンミラー（１０ａ）の前記対称平面に直交し、且つそこから分岐しているイオンの正味移動方向（Ｙ）に運動成分を有するような方向で、前記イオンミラー（１０ａ）から射出し、
（ｄ）前記イオンミラーにおけるイオンの正味移動方向に平行な方向において、前記イオンの焦点形成を行う、ステップと、を含む方法。
【請求項２】
前記イオンミラーを設けるステップにおいて、前記イオンミラーが、前記副軸（Ｙ）（３００）に直交する平面において延在する複数の電極をさらに備える、請求項１に記載の方法。
【請求項３】
電圧を印加するステップが、
イオンに、前記イオンミラー（１０ａ）内での反射毎に、前記対称平面を少なくとも３回横切らせる電界を生成するように、電圧を印加するステップを包含する、請求項１又は請求項２に記載の方法。
【請求項４】
イオンを前記イオンミラー（１０ａ）に導くステップが、
前記イオンを前記イオンミラー（１０ａ）に、前記対称平面に対する非零角度で導き、前記イオン平均軌道の反射平面の上流で最初に前記イオンを前記対称平面と交差させるステップを含み、
印加される電圧が、前記イオンを、前記イオンミラー（１０ａ）内の前記反射平面で又はその近傍で、前記対称平面と２度目に交差させ、且つ前記イオンを前記イオンミラー（１０ａ）から、前記反射平面の下流で前記対称平面と３度目に交差させるように再び射出させるように調整されている、請求項３に記載の方法。
【請求項５】
前記イオンミラー（１０ａ）を通過した後にイオンを検出するステップをさらに含む、請求項１〜４のいずれか１項に記載の方法。
【請求項６】
イオンを検出するステップが、前記イオンミラー（１０ａ）の前記対称平面から外れて変位した検出器で、イオンを検出するステップを含む、請求項５に記載の方法。
【請求項７】
前記イオンミラー（１０ａ）を通過したイオンを、断片化装置のような質量分析法のさらなるステージに向かわせるステップをさらに含む、請求項１〜６のいずれか１項に記載の方法。
【請求項８】
イオン源でイオンを生成するステップと、
生成されたイオン、又はその派生物／断片をリニアトラップで貯蔵するステップと、
イオンを前記リニアトラップから前記ＭＲ  ＴＯＦ  ＭＳに向かって射出するステップと、をさらに含む、請求項１〜７のいずれか１項に記載の方法。
【請求項９】
前記イオンを前記リニアトラップから前記ＭＲ  ＴＯＦ  ＭＳに向かって、直交して射出するステップをさらに含む、請求項８に記載の方法。
【請求項１０】
前記リニアトラップにおける貯蔵に先立ってイオンを断片化するステップをさらに含む、請求項８又は請求項９に記載の方法。
【請求項１１】
請求項１〜１０のいずれか１項に記載の方法であって、さらに、
前記第１のイオンミラー（１０ａ）に概して向かい合っている第２のイオンミラー（２０）であって、複数の電極を有し、且つ前記第２のイオンミラー（２０）の内部でイオンの飛行時間の広がりに概して平行な長手軸を規定する、第２のイオンミラー（２０）を設けるステップと、
前記第１のイオンミラー（１０ａ）から反射されたイオンを前記第２のイオンミラー（２０）に向かわせるステップと、
前記第２のイオンミラー（２０）に入射したイオンをそこから反射させる電界を生成するように、前記第２のイオンミラー（２０）の電極に電圧を印加するステップと、
を含み、
前記イオンを前記第１のイオンミラー（１０ａ）に導くステップ、前記第１のイオンミラー（１０ａ）に電界を生成するステップ、及び／又は前記第１のイオンミラーから反射したイオンを前記第２のイオンミラー（２０）に向かわせるステップが、イオンが、前記第１のイオンミラー（１０ａ）の長手軸が位置するその対称平面と、前記第２のイオンミラー（２０）によって反射される前に少なくとも３回交差するように、前記平均イオン軌道を制御するステップを含む、方法。
【請求項１２】
前記イオンを前記第１のイオンミラー（１０ａ）に導くステップ、前記第１のイオンミラー（１０ａ）に電界を生成するステップ、及び／又は前記第１のイオンミラー（１０ａ）から反射したイオンを前記第２のイオンミラー（２０）に向かわせるステップが、イオンが、前記第１のイオンミラー（１０ａ）の対称平面と、前記第１のイオンミラー（１０ａ）の電極によって生成された電界の内部で１回及びその電界の外で２回の３回交差するように、前記平均イオン軌道を制御するステップを含む、請求項１１に記載の方法。
【請求項１３】
前記第２のイオンミラー（２０）から出てきたイオンを前記第２のイオンミラー（２０）に概して向かい合っている第３のイオンミラー（１０ｂ）に向かわせるステップをさらに含み、前記第３のイオンミラー（１０ｂ）が、前記第１のイオンミラー（１０ａ）の長手軸に概して平行であるがそこからオフセットしている長手軸と、電圧印加されるとイオンを前記第３のイオンミラー（１０ｂ）から反射させる電界を生成する複数の電極とを有する、請求項１１又は請求項１２に記載の方法。
【請求項１４】
前記第２のイオンミラー（２０）から前記第３のイオンミラーへのイオンの入射方向を制御するステップ、及び／又は、前記第２（２０）から第３（１０ｂ）のイオンミラーへの及びそこから戻る前記平均イオン軌道が、その長手軸が位置する前記第３のイオンミラー（１０ｂ）の対称平面と少なくとも３回交差するように前記第３のイオンミラー（１０ｂ）の電界を制御するステップ、をさらに含む、請求項１３に記載の方法。
【請求項１５】
前記第３のイオンミラー（１０ｂ）から前記第２のイオンミラー（２０）へイオンを再び向かわせるステップをさらに含む、請求項１４に記載の方法。
【請求項１６】
前記第３のイオンミラー（１０ｂ）からのイオンを、前記第２のイオンミラー（２０）に隣接する第４のイオンミラーに向かわせるステップをさらに含み、前記第４のイオンミラーが前記第１（１０ａ）及び第３のイオンミラー（１０ｂ）と概して向かい合っており、且つ前記第２のイオンミラー（２０）の長手軸に概して平行であるがそこからオフセットしている長手軸を有する、請求項１４に記載の方法。
【請求項１７】
前記第２のイオンミラー（２０）からのイオンを前記第２のイオンミラー（２０）に概して向かい合っている第４のイオンミラー（１０ｃ）に向かわせるステップであって、前記第４のイオンミラー（１０ｃ）が、前記第１（１０ａ）及び第３（１０ｃ）のイオンミラーの長手軸に概して平行であるがそこから変位された長手軸と、電圧印加されると前記第４のイオンミラー（１０ｃ）から出たイオンを再び前記第２のイオンミラー（２０）に向かって反射させる電界を生成する複数の電極とを有する、ステップと、
イオンを前記第２のイオンミラー（２０）で反射させるステップと、
前記第２のイオンミラー（２０）からのイオンを前記第２のイオンミラー（２０）に概して向かい合っている第５のイオンミラー（１０ｄ）に向かわせるステップであって、前記第５のイオンミラー（１０ｄ）が、前記第１（１０ａ）、第３（１０ｂ）、及び第４（１０ｃ）のイオンミラーの長手軸に概して平行であるがそこから変位された長手軸と、電圧印加されると前記第５のイオンミラー（１０ｄ）から出たイオンを再び前記第２のイオンミラー（２０）に向かって反射させる電界を生成する複数の電極とを有する、ステップと、
をさらに含む、請求項１５に記載の方法。
【請求項１８】
イオンを、前記第５のイオンミラー（１０ｄ）から前記第２のイオンミラー（２０）に向かって反射させるステップの後に、
イオンを、既に通過してきた方向に概して対向する方向に移動しながら前記第５のイオンミラー（１０ｄ）に入射するように、前記第５のイオンミラー（１０ｄ）に向かって反射させるステップと、
次に、前記第２（２０）、第４（１０ｃ）、第２（２０）、第３（１０ｂ）、第２（２０）、及び第１（１０ａ）のイオンミラーを通して、前記イオンを逆方向に戻すステップと、をさらに含む、請求項１７に記載のステップ。
【請求項１９】
前記イオンミラーの各々の長手軸を、概してお互いに平行であるが同軸ではないように配置するステップをさらに含む、請求項１１〜１８のいずれか１項に記載の方法。
【請求項２０】
前記イオンミラーの各々の長手軸を、お互いのイオンミラーの長手軸から前記ＭＲ  ＴＯＦ  ＭＳを通るイオンのドリフト方向における変位させるステップをさらに含む、請求項１９に記載の方法。
【請求項２１】
一つ又はそれ以上のイオンミラーを備えており、請求項１〜２０のいずれか１項の方法ステップを実行するように構成された、多重反射式飛行時間型質量分析器。